(57)【特許請求の範囲】
【請求項１】
撮影レンズのフォーカス調整を自動で行うオートフォーカス手段と、
前記撮影レンズのフォーカス調整を手動で行うマニュアルフォーカス手段と、
前記オートフォーカス手段によるフォーカス調整、又は、前記マニュアルフォーカス手段によるフォーカス調整を切り替える切替手段と、
前記オートフォーカス手段による前記フォーカス調整の信頼度を判断する信頼度判断手段と、
前記信頼度判断手段によって判断された信頼度を表示する信頼度表示手段と、
前記マニュアルフォーカス手段によるフォーカス調整時において、前記信頼度判断手段によって判断された信頼度が所定値未満の場合には、前記切替手段によって前記オートフォーカス手段によるフォーカス調整に切り替えることを不能する切替防止手段と、
を備えたことを特徴とするオートフォーカス信頼度表示装置。
【請求項２】
前記オートフォーカス手段は、前記撮影レンズにより結像された被写体像を映像信号として取得する映像信号取得手段と、前記映像信号取得手段により取得された映像信号に基づいて合焦の程度を評価する焦点評価値を検出する焦点評価値検出手段と、を備え、
前記信頼度判断手段は、前記焦点評価値検出手段により検出された焦点評価値に基づいて前記信頼度を判断することを特徴とする請求項１のオートフォーカス信頼度表示装置。
【請求項３】
前記オートフォーカス手段は、前記撮影レンズにより結像された被写体像を光路長の異なる複数の撮像素子により撮像して映像信号に変換する撮像手段と、前記撮像手段の複数の撮像素子により得られた映像信号のそれぞれに基づいて各撮像素子に対する合焦の程度を評価する焦点評価値を検出する焦点評価値検出手段と、前記焦点評価値検出手段により検出された各撮像素子に対する焦点評価値に基づいて合焦を検出する合焦検出手段とを備え、
前記信頼度判断手段は、前記焦点評価値検出手段により検出された各撮像素子に対する焦点評価値のうち、少なくとも１つの焦点評価値に基づいて前記信頼度を判断することを特徴とする請求項１のオートフォーカス信頼度表示装置。
【請求項４】
前記信頼度判断手段は、前記焦点評価値検出手段により検出された焦点評価値を前記信頼度として判断すると共に、前記信頼度表示手段は、前記焦点評価値を前記信頼度として表示することを特徴とする請求項２又は請求項３のオートフォーカス信頼度表示装置。
【請求項５】
前記信頼度判断手段は、前記焦点評価値検出手段により検出された所定個分の焦点評価値のバラツキに基づいて前記信頼度を判断することを特徴とする請求項２又は請求項３のオートフォーカス信頼度表示装置。
【請求項６】
前記オートフォーカス手段は、被写体に測定波を照射すると共に、前記該被写体で反射した測定波を検出することにより前記被写体の距離を測定する測距手段を備え、
前記信頼度判断手段は、前記測定波の反射率を検出する反射率検出手段を備え、該反射率検出手段により検出された反射率に基づいて前記信頼度を判断することを特徴とする請求項１のオートフォーカス信頼度表示装置。
【請求項７】
前記信頼度判断手段は、前記反射率検出手段により検出された所定個分の反射率のバラツキに基づいて前記信頼度を判断することを特徴とする請求項６のオートフォーカス信頼度表示装置。
【請求項８】
前記信頼度判断手段による前記信頼度の判断及び前記信頼度表示手段による前記信頼度の表示は、前記切替手段より前記オートフォーカス手段によるフォーカス調整と前記マニュアルフォーカス手段によるフォーカス調整のいずれが選択されているかにかかわらず実行可能であることを特徴とする請求項１乃至７のうちいずれか１に記載のオートフォーカス信頼度表示装置。
【発明の詳細な説明】
【０００１】
【発明の属する技術分野】
本発明はオートフォーカス信頼度表示装置に係り、特にテレビカメラ用のレンズ装置におけるオートフォーカスの信頼度を表示するオートフォーカス信頼度表示装置に関する。
【０００２】
【従来の技術】
現在、オートフォーカス（以下、ＡＦという）を用いているカメラ・レンズシステムが多くなっているが、放送用カメラにおいてはカメラマンの意図も反映させなければ良い映像を得ることはできないため、完全にＡＦ化することは将来的にも難しいと予想される。この一方において、今後、ハイビジョンなどの高精細テレビが普及していくと、カメラマンがビューファインダーでピントを十分に確認することが困難となるため、それを補助するためのＡＦが要求されてくることが考えられる。このため、マニュアルフォーカス（ＭＦ）とＡＦとを切替えながらフォーカス調整を行うことが多くなると考えられる。また、特開平１―１５８８８１号公報等には、カメラマンがビューファインダーで確認できるレベルまでマニュアル（ＭＦ）によりフォーカス調整を行うと自動でＡＦに切り替わり、ＡＦがそれ以上の精度でフォーカス調整を行うことで、ＭＦによるフォーカス調整をＡＦにより補助する方法が既に提案されている。
【０００３】
【発明が解決しようとする課題】
ところで、ＡＦ方式にもコントラスト方式やアクティブ方式等の各種方式があるが、いずれの方式においても長所、短所がある。例えば、映像信号（ビデオ信号）の高周波成分を検出するコントラスト方式の場合の短所として、コントラストの低い被写体や暗い場所での撮影は、検出できる高周波成分が小さくなり、Ｓ／Ｎが確保できなくなって誤動作し易くなる。このため、被写体の条件が悪いときにＡＦを作動させるとＭＦによるフォーカス調整より却って精度を悪化させる事態を招くおそれがある。しかしながら、従来は、ＡＦによるフォーカス調整が信頼できるか否かをＡＦを作動させる前に判断することが困難であったため、上述のような不測の事態を招くおそれが高かった。
【０００４】
本発明はこのような事情に鑑みてなされたもので、ＡＦの誤動作を未然に防止することができるオートフォーカス信頼度表示装置を提供することを目的とする。
【０００５】
【課題を解決するための手段】
前記目的を達成するために、請求項１に記載の発明は、撮影レンズのフォーカス調整を自動で行うオートフォーカス手段と、前記撮影レンズのフォーカス調整を手動で行うマニュアルフォーカス手段と、前記オートフォーカス手段によるフォーカス調整、又は、前記マニュアルフォーカス手段によるフォーカス調整を切り替える切替手段と、前記オートフォーカス手段による前記フォーカス調整の信頼度を判断する信頼度判断手段と、前記信頼度判断手段によって判断された信頼度を表示する信頼度表示手段と、前記マニュアルフォーカス手段によるフォーカス調整時において、前記信頼度判断手段によって判断された信頼度が所定値未満の場合には、前記切替手段によって前記オートフォーカス手段によるフォーカス調整に切り替えることを不能する切替防止手段と、を備えたことを特徴としている。
【０００６】
本発明によれば、オートフォーカス（ＡＦ）によるフォーカス調整の信頼度を判断し、表示するようにしたため、信頼度が低い場合にはＡＦを作動させないというような措置が可能となりＡＦの誤動作を未然に防止することができる。
【０００７】
また、請求項２に記載の発明は、請求項１に記載の発明において、前記オートフォーカス手段は、前記撮影レンズにより結像された被写体像を映像信号として取得する映像信号取得手段と、前記映像信号取得手段により取得された映像信号に基づいて合焦の程度を評価する焦点評価値を検出する焦点評価値検出手段と、を備え、前記信頼度判断手段は、前記焦点評価値検出手段により検出された焦点評価値に基づいて前記信頼度を判断することを特徴している。
【０００８】
また、請求項３に記載の発明は、請求項１に記載の発明において、前記オートフォーカス手段は、前記撮影レンズにより結像された被写体像を光路長の異なる複数の撮像素子により撮像して映像信号に変換する撮像手段と、前記撮像手段の複数の撮像素子により得られた映像信号のそれぞれに基づいて各撮像素子に対する合焦の程度を評価する焦点評価値を検出する焦点評価値検出手段と、前記焦点評価値検出手段により検出された各撮像素子に対する焦点評価値に基づいて合焦を検出する合焦検出手段とを備え、前記信頼度判断手段は、前記焦点評価値検出手段により検出された各撮像素子に対する焦点評価値のうち、少なくとも１つの焦点評価値に基づいて前記信頼度を判断することを特徴としている。
【０００９】
請求項２又は請求項３のように映像信号から得た焦点評価値に基づいてＡＦの信頼度を判断することによって適切に信頼度を判断し、表示することができる。
【００１０】
また、請求項４に記載の発明は、請求項２又は請求項３に記載の発明において、前記信頼度判断手段は、前記焦点評価値検出手段により検出された焦点評価値を前記信頼度として判断すると共に、前記信頼度表示手段は、前記焦点評価値を前記信頼度として表示することを特徴としている。即ち、ＡＦの信頼度は焦点評価値自体の値であってもよい。
【００１１】
また、請求項５に記載の発明は、請求項２又は請求項３に記載の発明において、前記信頼度判断手段は、前記焦点評価値検出手段により検出された所定個分の焦点評価値のバラツキに基づいて前記信頼度を判断することを特徴としている。即ち、所定個分の焦点評価値のバラツキに基づいてＡＦの信頼度を判断することによって適切に信頼度を判断し、表示することができる。
【００１２】
また、請求項６に記載の発明は、請求項１に記載の発明において、前記オートフォーカス手段は、被写体に測定波を照射すると共に、前記該被写体で反射した測定波を検出することにより前記被写体の距離を測定する測距手段を備え、前記信頼度判断手段は、前記測定波の反射率を検出する反射率検出手段を備え、該反射率検出手段により検出された反射率に基づいて前記信頼度を判断することを特徴としている。即ち、オートフォーカス手段がアクティブ方式の場合には、被写体に照射する測定波の反射率に基づいてＡＦの信頼度を判断することによって適切にＡＦの信頼度を判断し、表示することができる。
【００１３】
また、請求項７に記載の発明は、請求項６に記載の発明において、前記信頼度判断手段は、前記反射率検出手段により検出された所定個分の反射率のバラツキに基づいて前記信頼度を判断することを特徴としている。即ち、測定波の所定個分の反射率のバラツキに基づいて信頼度を判断することによって適切にＡＦの信頼度を判断し、表示することができる。
【００１４】
また、請求項８に記載の発明は、請求項１乃至請求項７のうちいずれか１に記載の発明において、前記撮影レンズのフォーカス調整を手動で行うマニュアルフォーカス手段を備えると共に、前記オートフォーカス手段によるフォーカス調整、又は、前記マニュアルフォーカス手段によるフォーカス調整を切り替える切替手段と備え、前記信頼度判断手段による前記信頼度の判断及び前記信頼度表示手段による前記信頼度の表示は、前記切替手段より前記オートフォーカス手段によるフォーカス調整と前記マニュアルフォーカス手段によるフォーカス調整のいずれが選択されているかにかかわらず実行可能であることを特徴としている。即ち、オートフォーカス（ＡＦ）によるフォーカス調整とマニュアルフォーカス（ＭＦ）によるフォーカス調整の切り替えが可能な場合に、ＡＦの選択時かＭＦの選択時かにかかわらず、請求項１乃至請求項７に記載の信頼度を表示することによって、信頼度が低い場合に、ＭＦからＡＦへの切替えを防止し、又は、ＡＦからＭＦへの切替えを促すことができ、ＡＦの誤動作を適切に防止することできる。
【００１５】
【発明の実施の形態】
以下添付図面に従って本発明に係るオートフォーカス信頼度表示装置の好ましい実施の形態について詳説する。
【００１６】
同図に示すレンズシステムは、例えば周知のズームレンズ（群）ＺＬ、フォーカスレンズ（群）ＦＬ、ワブリングレンズ（群）ＷＬ等が配置される撮影光学系（撮影レンズ）を備えており、撮影光学系により結像された被写体像は、図示しないテレビカメラ本体の撮像素子によって受光されるようになっている。
【００１７】
上記ズームレンズＺＬやフォーカスレンズＦＬは、ズームデマンド１０やフォーカスデマンド１２等のコントローラによってマニュアル操作することができるようになっており、これらのデマンド１０、１２には、ズームレンズＺＬやフォーカスレンズＦＬの設定すべき位置（目標位置）又は速度（目標速度）を操作者が指示操作するための操作部材が設けられている。その操作部材の操作に基づいて、ズームデマンド１０からはズームレンズＺＬの目標位置又は目標速度を指令する指令信号が出力され、フォーカスデマンド１２からはフォーカスレンズＦＬの目標位置又は目標速度を指令する指令信号が出力される。
【００１８】
尚、本実施の形態では、各デマンド１０、１２からズームレンズＺＬ、フォーカスレンズＦＬの目標位置を指令する指令信号が出力されるものとする。
【００１９】
各デマンド１０、１２から出力された指令信号は、Ａ／Ｄ変換器１３を介してＣＰＵ１４に読み取られ、それらの指令信号により指令された目標位置に基づいて、ズーム用モータＺＭとフォーカス用モータＦＭの回転速度を指令する駆動信号（指令する回転速度に応じた電圧信号）がＣＰＵ１４からＤ／Ａ変換器１６を介して各モータＺＭ、ＦＭのズーム用アンプＺＡ及びフォーカス用アンプＦＡに出力される。ここで、ＣＰＵ１４は、図示しない位置検出器によりズームレンズＺＬやフォーカスレンズＦＬの現在位置を取得しており、各レンズＺＬ、ＦＬの現在位置と、各デマンド１０、１２からの指令信号により与えられた目標位置とを比較しながら、各レンズＺＬ、ＦＬが目標位置に停止するように各モータＺＭ、ＦＭの回転速度を決定している。
【００２０】
ＣＰＵ１４からの駆動信号が各アンプＺＡ、ＦＡに与えられると、各モータＺＭ、ＦＭが、その駆動信号により指令された回転速度となるように各アンプＺＡ、ＦＡにより駆動される。これにより、モータＺＭに連結されたズームレンズＺＬ及びモータＦＭに連結されたフォーカスレンズＦＬが光軸方向に移動すると共に、各デマンド１０、１２から指令された目標位置に設定される。
【００２１】
ところで、本レンズシステムでは、通常はオフになる自動復帰式のオートフォーカス（ＡＦ）スイッチＳ１が設けられており、ＡＦスイッチＳ１がオフの場合には、マニュアルフォーカス（以下、ＭＦ）が選択され、上記フォーカスデマンド１２に設けられた所定の操作部材を操作してカメラマンがＭＦによりフォーカス調整を行うことができるようになっている。即ち、ＡＦスイッチＳ１がオフの場合には、ＣＰＵ１４は、上述のようにフォーカスデマンド１２から与えられた指令信号に基づいてフォーカスレンズＦＬ（フォーカス用モータＦＭ）を駆動する。
【００２２】
一方、ＡＦスイッチＳ１を一旦オンすると、ＭＦからオートフォーカス（以下、ＡＦ）に切り替わり、ＣＰＵ１４の処理によって一度だけＡＦが実行され、自動でフォーカスレンズＦＬの位置が合焦位置に設定されるようになっている。尚、一度だけＡＦが実行されるという意味は、ＡＦによってフォーカスレンズＦＬが合焦位置に一度設定されると、その後、合焦位置が変化してもＡＦが実行されないという意味であり、本実施の形態では、一度だけＡＦが実行されるとＡＦスイッチＳ１がオフに復帰している場合にはＭＦに復帰する。
【００２３】
ここで、本レンズシステムには、映像表示用の映像信号（輝度信号）をカメラ本体から取得し、その映像信号に基づいて合焦の程度を評価する焦点評価を検出する回路が構成されている。尚、カメラ本体から取得される映像信号は、上記撮影光学系により結像された被写体像をカメラ本体の撮像素子により撮像して得られた例えばＮＴＳＣ方式の映像信号である。また、焦点評価値は、画像のコントラストの高低（鮮鋭度）を示す値であり、その検出方法はコントラスト方式のＡＦにおいて従来から周知のものである。
【００２４】
図１には、焦点評価値を検出する回路が簡単に示されており、カメラ本体から取得された映像信号は、まず、ハイパスフィルタ（ＨＰＦ）１８によって高周波成分のみが抽出されてＡ／Ｄ変換器２０によりデジタル信号に変換される。そして、デジタル信号に変換された高周波成分のうち、撮影範囲内に設定された所定のフォーカスエリア内のみの信号がゲート回路２２により抽出され、ゲート回路２２により抽出された高周波成分の信号が１フィールドごとに加算回路２４により積算される。加算回路２４の積算によって得られた信号は、フォーカスエリア内の被写体に対する合焦の程度（コントラストの高低）を示す上記焦点評価値としてＣＰＵ１４に読み取られる。尚、映像信号から焦点評価値を検出する方法は、上述の場合に限らない。
【００２５】
ＡＦスイッチＳ１がオンされた場合には、上記焦点評価値に基づいてＣＰＵ１４によりフォーカス用モータＦＭを駆動するための駆動信号が生成され、ＭＦの場合と同様にその駆動信号がフォーカス用アンプＦＡに出力されてフォーカスレンズＦＬが合焦位置に移動する。具体的には、ＣＰＵ１４は、ワブリング用モータＷＭを駆動するための駆動信号をＤ／Ａ変換器１６を介してワブリング用アンプＷＡに適宜出力し、ワブリングレンズＷＬを光軸方向に前後動（ワブリング）させながら、上記加算回路２４から焦点評価値を取得する（例えば１フィールドごとに取得する）。これによって、撮影光学系の焦点位置が前後動し、フォーカスレンズＦＬを現在の設定位置から前後動させた場合に等しい焦点評価値が検出される。ＣＰＵ１４は、そのワブリングの間に取得した焦点評価値に基づいて、フォーカスレンズＦＬの現在位置において焦点評価値が極大か否かを判断する。焦点評価値が極大であれば合焦が得られており、フォーカスレンズＦＬをその合焦位置で停止させる。また、ＭＦの処理に復帰する。一方、焦点評価値が極大でない場合には、ワブリングの間に取得した焦点評価値の大小関係から合焦位置が現在位置よりも無限方向にあるか至近方向にあるかを判断する。そして、アンプＦＡに駆動信号を出力して、その判断した方向にフォーカスレンズＦＬを移動させる。このようにワブリングレンズＷＬのワブリングとフォーカスレンズＦＬの移動を繰り返すことによってフォーカスレンズＦＬが合焦位置に自動的に設定され、ＭＦによるフォーカスレンズＦＬの設定位置が、高精細のカメラにおいてより適切な合焦位置に補正される。
【００２６】
また、本レンズシステムには、ＡＦによるフォーカス調整の信頼度（ＡＦ信頼度）を表示する表示器２６が設置されており、上記加算回路２４から取得される焦点評価値に基づいてＣＰＵ１４によりＡＦ信頼度が判断され、そのＡＦ信頼度が表示器２６に表示されるようになっている。尚、このＡＦ信頼度の判断及び表示は、ＡＦスイッチＳ１のオン／オフ（ＡＦか否か）に関係なく行われる。このＡＦ信頼度の表示によってカメラマンはＡＦが適正に行われるか（又は、適正に行われているか）を容易に判断することができ、ＡＦが適正に行われない場合にはＡＦスイッチＳ１をオンすることなくＭＦによりフォーカス調整を行うことによってＡＦの誤動作を未然に防止することができる。
【００２７】
具体的には、加算回路２４から取得した焦点価値自体の値がＡＦ信頼度としてＣＰＵ１４により判断され、その評価値自体の値がＡＦ信頼度として表示器２６により表示される。また、このＡＦ信頼度の判断及び表示と共に、加算回路２４から連続的に取得した所定フィールド分（所定個分）の複数の焦点評価値（例えば、１０フィールド分の焦点評価値）のバラツキ（例えば、標準偏差）がＡＦ信頼度としてＣＰＵ１４により算出され、そのバラツキがＡＦ信頼度として表示器２６により表示される。
【００２８】
表示器２６でのＡＦ信頼度（焦点評価値及びバラツキ）の表示は例えばデジタル表示により行われる。
【００２９】
尚、ＡＦ信頼度の判断及び表示は、焦点評価値自体の値と所定フィールド分の焦点評価値のバラツキのうちいずれか一方のみでもよい。
【００３０】
また、焦点評価値を所定の範囲内の値（例えば０〜１の値）に変換してその変換した値をＡＦ信頼度として判断し、表示してもよい。
【００３１】
また、上述のように判断されたＡＦ信頼度の値（焦点評価値、バラツキ、変換値）に対して更にその値が所定のしきい値以上か否かを判断し、所定のしきい値以上の場合には、ＡＦ信頼度が高く、所定のしきい値未満の場合には、ＡＦ信頼度が低いというように、焦点評価値を複数のレベルに分類してそのレベルをＡＦ信頼度として判断し、表示するようにしてもよい。この場合にレベルを示す数値をデジタル表示してよいし、又は、ＬＥＤ等のランプの点灯／消灯によって簡易に表示してもよい。例えば、ＡＦ信頼度が高い、又は、低いの２つのレベルを表示する場合には、１つのランプを用い、ＡＦ信頼度が高い場合にはランプを消灯させ、ＡＦ信頼度が低い場合にはランプを点灯させるというように警告表示することができる。
【００３２】
更に、このようにＡＦ信頼度が低い場合には、ＭＦからＡＦへの切替えを不能にしてもよい。
【００３３】
次に、上記ＣＰＵ１４の処理手順の概略を図２のフローチャートを用いて説明する。まず、ＣＰＵ１４は所要の初期設定を行った後（ステップＳ１０）、ＡＦ以外の処理を実行する（ステップＳ１２）。尚、このＡＦ以外の処理には、ＭＦの処理が含まれる。続いて、ＡＦ信頼度表示の処理を実行し（ステップＳ１４）、上記表示器２６にＡＦ信頼度を表示させる。尚、ＡＦ信頼度表示の処理手順については後述する。
【００３４】
次に、ＡＦスイッチＳ１がオンされたか否かを判断する（ステップＳ１６）。もし、ＮＯと判定した場合には、上記ステップＳ１０からの処理を繰り返す。一方、ＹＥＳと判定した場合には、ＡＦの処理に移行し、まず、ステップＳ１４と同様のＡＦ信頼度表示の処理を実行し（ステップＳ１８）、ＡＦ信頼度を表示器２６に表示させる。そして、ワブリングレンズＷＬを駆動してワブリングを行いながら（ステップＳ２０）、焦点評価値を上記加算回路２４から例えば１フィールドごとに取得し、フォーカスレンズＦＬの現在の設定位置において合焦しているか否かを判断する（ステップＳ２２）。ここで、ＹＥＳと判定した場合には、上記ステップＳ１２に戻る。即ち、ＭＦに切り替える。一方、ＮＯと判定した場合には、ワブリングの間に取得した焦点評価値に基づいて合焦位置がフォーカスレンズＦＬの現在位置よりも無限方向にあるか否かを判定する（ステップＳ２４）。ＹＥＳと判定した場合には、フォーカスレンズＦＬを無限方向に移動させる（ステップＳ２６）。一方、ステップＳ２４においてＮＯと判定した場合には、フォーカスレンズＦＬを至近方向に移動させる（ステップＳ２８）。上記ステップＳ１８からステップＳ２８の処理を繰り返すことによってステップＳ２２の処理で合焦していると判断された場合には、その合焦位置にフォーカスレンズＦＬが停止すると共にＡＦが終了し、ＭＦに切り替わる。
【００３５】
次に、上記ステップＳ１４及びステップＳ１８におけるＡＦ信頼度表示の処理手順について図３のフローチャートを用いて説明する。尚、ここでの処理手順は、上述のようにＡＦ信頼度として焦点評価値自体の値と１０フィールド分の焦点評価値のバラツキを表示する場合を示している。ＣＰＵ１４は、加算回路２４から１フィールド分の焦点評価値を読み取り（ステップＳ４０）、その焦点評価値をＡＦ信頼度として判断すると共に、その焦点評価値をＡＦ信頼度として表示器２６に表示させる（ステップＳ４２）。次に、その焦点評価値を記憶すると共に（ステップＳ４４）、記憶されている焦点評価値が１０フィールド分を超えた場合には、一番古い焦点評価値を削除する（ステップＳ４６）。そして、１０フィールドの焦点評価値からバラツキを算出し（ステップＳ４８）、そのバラツキをＡＦ信頼度として表示器２６に表示させる（ステップＳ５０）。
【００３６】
以上、上記実施の形態では、ＡＦの方式として、カメラ本体の撮像素子によって得られた映像信号に基づいて焦点評価値を求め、その焦点評価値が極大となるようにフォーカスレンズＦＬの位置を設定するコントラスト方式の場合について説明したが、ＡＦ信頼度の表示は、以下のようなコントラスト方式又はコントラスト方式と異なる方式の場合にも適用できる。
【００３７】
例えば、上記実施の形態では、ワブリングレンズＷＬをワブリングさせることにより、フォーカスレンズＦＬの現在位置において焦点評価値が極大か否か（合焦が得られているか否か）、又は、合焦位置がフォーカスレンズＦＬの現在位置よりも無限方向にあるか至近方向にあるかを判断するようにしていたが、ワブリングを行うことなく、光路長の異なる位置に配置された複数の撮像素子（全ての撮像素子がＡＦ専用の場合もあるし、映像表示用の映像信号を生成するための撮像素子がＡＦ用の複数の撮像素子の１つとして兼用される場合もある。）を用いたコントラスト方式においても本発明を適用できる。具体的には、光路長の異なる複数の撮像素子から得られた複数の映像信号に基づいて各映像信号ごとに上記実施の形態と同様に焦点評価値を求め、それらの焦点評価値の大小関係からフォーカスレンズＦＬの現在位置において合焦が得られているか否か、合焦していない場合には合焦位置がフォーカスレンズＦＬの現在位置よりも無限方向にあるか至近方向にあるかが判断される。この場合のＡＦ信頼度は、複数の映像信号のうちのいずれか１つの映像信号から検出された焦点評価値に基づいて判断するようにしてもよいし、複数の映像信号から検出された複数の焦点評価値のそれぞれに基づいて個別にＡＦ信頼度を判断し、複数のＡＦ信頼度を個別に表示するようにしてもよい。又は、個別に判断された複数のＡＦ信頼度の平均などにより、ＡＦ信頼度を総合的に判断し、表示するようにしてもよい。
【００３８】
また、ＡＦの方式として、アクティブ方式を採用した場合においても本発明を適用することができる。例えば、アクティブ方式では、発光部から測定光を被写体に照射し、被写体で反射した測定光を受光部で受光することにより、三角測距の原理や測定光の往復時間等から被写体までの距離が測定される。そして、測定した距離に対応する位置にフォーカスレンズが設定される。この場合において、例えば、発光部から出射した測定光の光量と、受光部で受光した測定光の光量とに基づいて、被写体での測定光の反射率を求め、その反射率をＡＦ信頼度とすることができる。または、受光部で受光した測定光の光量をＡＦ信頼度とすることもできる。更に、連続的に検出した複数個のＡＦ信頼度（測定光の反射率又は受光した測定光の光量）又は測距値のバラツキ（標準偏差）をＡＦ信頼度とすることもできる。なお、アクティブ方式で使用する測定波は、光に限らず電波や音波等で有ってもよい。
【００３９】
また、コントラスト方式とアクティブ方式の両方を組み合わせてＡＦを行う場合があり、この場合にも本発明を適用することができる。特にこの場合には、コントラスト方式により設定されるフォーカスレンズＦＬの合焦位置と、アクティブ方式により設定されるフォーカスレンズＦＬの合焦位置との違いが大きくなる場合は、ＡＦ信頼度が低いとして警告表示するようにしてもよい。
【００４０】
また、上記実施の形態では、ＭＦからＡＦへの切り替えをＡＦスイッチＳ１によって行う場合について説明したが、これに限らず、ＭＦによるフォーカス調整後、自動的にＡＦに切り替わる場合にも本発明を適用することもできる。この場合に、ＡＦ信頼度を表示するだけでなく、ＡＦ信頼度が低い場合には、ＭＦによるフォーカス調整後にＡＦを行わないようにすると好適である。
【００４１】
また、上記実施の形態では、ＡＦスイッチＳ１によってＡＦに切り替えると、一度だけＡＦを実行した後、自動でＭＦに切り替わる場合について説明したが、このようにＡＦをＭＦの補助として使用するのではなく、ＡＦとＭＦの所望のフォーカス調整方法を継続的に選択できるようにした場合（ＡＦからＭＦの意図的な切替操作を要するようにした場合）においても本発明を適用すると効果的である。
【００４２】
【発明の効果】
以上説明したように本発明に係るオートフォーカス信頼度表示装置によれば、オートフォーカスによるフォーカス調整の信頼度を判断し、表示するようにしたため、信頼度が低い場合にはＡＦを作動させないというような措置が可能となりＡＦの誤動作を未然に防止することができる。
【図面の簡単な説明】
【図１】図１は、本発明が適用されるレンズシステムの全体構成を示した制御ブロック図である。
【図２】図２は、ＣＰＵの処理手順の概略を示したフローチャートである。
【図３】図３は、ＡＦ信頼度表示の処理手順を示したフローチャートである。
【符号の説明】
１０…ズームデマンド、１２…フォーカスデマンド、１４…ＣＰＵ、１８…ハイパスフィルタ、２０…Ａ／Ｄ変換器、２２…ゲート回路、２４…加算回路、２６…表示器、ＺＬ…ズームレンズ、ＦＬ…フォーカスレンズ、ＷＬ…ワブリングレンズ、ＺＭ…ズーム用モータ、ＦＭ…フォーカス用モータ、ＷＭ…ワブリング用モータ、ＺＡ…ズーム用アンプ、ＦＡ…フォーカス用アンプ、ＷＡ…ワブリング用アンプ、Ｓ１…オートフォーカス（ＡＦ）スイッチ
【図１】
0004023182.tif 000002
【図２】
0004023182.tif 000003
【図３】
0004023182.tif 000004